(57)【要約】【課題】迅速に係脱可能な締結装置を提供する。【解決手段】かかる迅速に係脱可能な締結装置は、対象部品２０と、対象部品上に突設されると共に、挿入開口に係止されるための係合段部２１と、回動可能な方式で順次に対象部品と係合段部とを貫通する回動可能な締め具と、回動可能な締め具上に設けられ、係合段部の頂面に対応する締結体４０とを備えている。締結体は、概ね長形を呈する構造体であると共に、長軸４０１と、短軸４０２とを有し、締結体の長軸の長さを、挿入開口の長さよりも小さくし、挿入開口が基材上に形成され、締結体は、基材の挿入開口を貫通すると共に、基材における収容空間内に収容されるために供され、締結体は、回動可能な締め具の駆動によって切り換えられて特定の回転角度で対象部品に相対して回転すると共に、切り換えられて挿入開口の両側に設けられた２つの側板部を緊密に挟持する。【選択図】図４
0003218669.tif 000002
【実用新案登録請求の範囲】
【請求項１】
収容空間１１を有する基材１０のための迅速に係脱可能な締結装置であって、
前記基材１０は、その表面に前記収容空間１１に連通する挿入開口１が形成されると共に、前記挿入開口１２の両側にそれぞれ側板部１３が設けられ、前記挿入開口１２は、長条状構造であり、
迅速に係脱可能な前記締結装置は、対象部品２０と、前記対象部品２０上に突設されると共に、前記挿入開口１２内に係止されるための係合段部２１と、前記対象部品２０上に設けられ、前記係合段部２１の両側に位置する２つの肩部２２と、回動可能な方式で順次に前記対象部品２０と前記係合段部２１とを貫通する回動可能な締め具３０と、前記回動可能な締め具３０上に設けられ、前記係合段部２１の頂面に対応する締結体４０とを備え、
前記締結体４０は、概ね長形を呈する構造体であると共に、長軸４０１と、短軸４０２とを有し、前記締結体４０の長軸４０１の長さを、前記挿入開口１２の長さよりも小さく、そして前記締結体４０の短軸４０２の長さを、前記挿入開口１２の幅よりも小さくし、前記締結体４０は、前記挿入開口１２を貫通すると共に、前記収容空間１１内に収容されるために供され、前記締結体４０は、前記回動可能な締め具３０の駆動によって切り換えられて特定の回転角度で前記対象部品２０に相対して回転すると共に、前記２つの肩部２２に対向して切り換えられて前記基材１０上の２つの側板部１３を緊密に挟持することを特徴とする、迅速に係脱可能な締結装置。
【請求項２】
前記締結体４０の前記係合段部２１に対応する一面に回転ロック溝４１が形成され、前記回転ロック溝４１の長軸４０１に対応する一端を第１規制面４１１とし、そして前記回転ロック溝４１の短軸４０２に対応する一端を第２規制面４１２とし、前記係合段部２１の頂面に前記回転ロック溝４１内に収容される回転ロック突起２３が突設され、前記回転ロック突起２３が前記第１規制面４１１に突き当てられると、前記締結体４０の正射影が前記挿入開口１２に覆われた状態で、前記締結体４０は、前記挿入開口１２を利用して前記基材１０の収容空間１１内に対する出し入れがなされることを特徴とする、請求項１に記載の迅速に係脱可能な締結装置。
【請求項３】
前記特定の回転角度は、４５度〜１３５度であり、前記締結体４０の回転軸線から前記収容空間１１の相対応の側壁までの距離が前記締結体４０の最大回転半径よりも大きいとき、前記回転ロック突起２３が前記第２規制面４１２に突き当てられていることを特徴とする、請求項２に記載の迅速に係脱可能な締結装置。
【請求項４】
前記締結体４０は、第１側辺と、第２側辺とを含み、前記第１側辺と前記第２側辺の相対応の端部上にそれぞれ退避した湾曲部４３が形成されていることを特徴とする、請求項３に記載の迅速に係脱可能な締結装置。
【請求項５】
前記対象部品２０上に穿孔２４が形成され、前記穿孔２４が順次に前記対象部品２０と前記係合段部２１とを貫通し、前記締結体４０にネジ孔４２が形成され、ボルトである前記回動可能な締め具３０は、前記穿孔２４を貫通するネジ軸３１を含み、前記ネジ軸３１は、前記穿孔２４に対応する第１段３１１と、前記ネジ孔４２に締結される第２段３１２とを有し、前記ネジ軸３１の第１段３１１の対象部品２０に対応する摩擦力が、前記ネジ軸３１の第２段３１２の前記締結体４０に対応する摩擦力よりも小さくされていることを特徴とする、請求項１〜４のいずれか１項に記載の迅速に係脱可能な締結装置。
【請求項６】
前記ネジ軸３１の第２段３１２が前記ネジ孔４２の端部を貫通してさらに止めネジ先端部３１３が軸方向に設けられ、前記止めネジ先端部３１３が前記収容空間１１の内壁を押しながら締結されることを特徴とする、請求項５に記載の迅速に係脱可能な締結装置。
【請求項７】
前記対象部品２０上にさらに管状基材を位置規制するためのＣ字形止め材２５が設けられていることを特徴とする、請求項１〜４のいずれか１項に記載の迅速に係脱可能な締結装置。
【請求項８】
前記対象部品２０上にさらにボルトを利用して板片構造５０を連結するための取り付け孔２６が側方向に形成されていることを特徴とする、請求項１〜４のいずれか１項に記載の迅速に係脱可能な締結装置。
【請求項９】
前記対象部品２０上にさらに回転軸６０を介して蝶番片６１が枢着されることにより、ヒンジ構造が形成されていることを特徴とする、請求項１〜４のいずれか１項に記載の迅速に係脱可能な締結装置。
【考案の詳細な説明】
【技術分野】
【０００１】
本考案は、締結装置に係り、特に、迅速に締結され、かつ容易に分解を行うことができる斬新な構造に関するものである。
【背景技術】
【０００２】
従来、２個の異なる構成部材を相互に一緒に結合するのに最も便利なものは、ボルトとナットに勝るものはない。現在、市場には、ボルトとナットを迅速にロックしたり、解除したりすることができる数多くの空気圧工具や電動工具があるものの、大抵の場合、使用者は、依然として一般の手動工具を使用するしかない。
【考案の概要】
【考案が解決しようとする課題】
【０００３】
ボルトとナットを徐々に相互に締結するとき、ボルトとナットを確実にロックすることを保証できるために、ナットをボルトにつれて一緒に転動するのを防止するように、使用者は別の工具を使用しなければならず、操作上において、確実にそれほど便利とは言えない。そのうえ、ボルトとナットによりロックされている２つの構成部材を解除しようとするとき、ボルトをナットから完全に離脱する必要があることから、操作時間について見ると、明らかにあまり経済的であるとは言えない。
【０００４】
本考案は、上記の問題を解決できる迅速に係脱可能な締結装置を提供することを主な目的とする。
【課題を解決するための手段】
【０００５】
上記目的を達成するために、本考案は、収容空間を有する基材のために供され、前記基材は、その表面に前記収容空間に連通する挿入開口が形成されると共に、前記挿入開口の両側にそれぞれ側板部が設けられ、そのうち、前記挿入開口は、長条状構造であり、迅速に係脱可能な締結装置は、対象部品と、前記対象部品上に突設されると共に、前記挿入開口内に係止されるための係合段部と、前記対象部品上に設けられ、前記係合段部の両側にそれぞれ位置する２つの肩部と、回動可能な方式で順次に前記対象部品と前記係合段部とを貫通する回動可能な締め具と、前記回動可能な締め具上に設けられ、前記係合段部の頂面に対応する締結体とを備え、前記締結体は、概ね長形を呈する構造体であると共に、長軸と、短軸とを有し、そのうち、前記締結体の長軸の長さを、前記挿入開口の長さよりも小さく、そして前記締結体の短軸の長さを、前記挿入開口の幅よりも小さくし、前記締結体は、前記挿入開口を貫通すると共に、前記収容空間内に収容されるために供され、前記締結体は、前記回動可能な締め具の駆動によって切り換えられて特定の回転角度で前記対象部品に相対して回転すると共に、前記２つの肩部に対向して切り換えられて前記基材上の２つの側板部を緊密に挟持する。
【図面の簡単な説明】
【０００６】
【図１】本考案の第１実施態様の分解斜視図である。
【図２】本考案の第２実施態様の分解斜視図である。
【図３】本考案の回動可能な締め具の外観斜視図である。
【図４】本考案の対象部品と締結体の外観斜視図である。
【図５】本考案の第１実施態様の第１操作模式図である。
【図６】本考案の第１実施態様の第２操作模式図である。
【図７】本考案の第２実施態様の第１操作模式図である。
【図８】本考案の第２実施態様の第２操作模式図である。
【図９】本考案の第２実施態様において、収容空間の内幅が狭い場合を示す図である。
【図１０】本考案の回動可能な締め具の第２実施態様の外観斜視図である。
【図１１】本考案の回動可能な締め具の第２実施態様の使用方式の参考図である。
【図１２】本考案の対象部品の第２実施形態の外観斜視図である。
【図１３】本考案の対象部品の第３実施形態の外観斜視図である。
【図１４】本考案の対象部品の第４実施形態の外観斜視図である。
【考案を実施するための形態】
【０００７】
図１、図３、図４と図５に示すのは、本考案の迅速に係脱可能な締結装置の好適な実施形態であるが、これらの実施形態は説明のみに用いられるもので、実用新案登録請求の際、それらの構造に制限されないものとする。
【０００８】
かかる迅速に係脱可能な締結装置は、収容空間１１を有する基材１０のために供され、この好適な実施形態において、前記基材１０は、多辺形管であり、前記基材１０は、その表面に前記収容空間１１に連通する挿入開口１２が形成されると共に、前記挿入開口１２の両側にそれぞれ側板部１３が設けられ、そのうち、前記挿入開口１２は、長条状構造であり、前記迅速に係脱可能な締結装置は、対象部品２０と、前記対象部品２０上に突設されると共に、前記挿入開口１２内に係止されるための係合段部２１と、前記対象部品２０上に設けられ、前記係合段部２１の両側にそれぞれ位置する２つの肩部２２と、回動可能な方式で順次に前記対象部品２０と前記係合段部２１とを貫通する回動可能な締め具３０（一例として、締めネジ具）と、前記回動可能な締め具３０上に設けられ、前記係合段部２１の頂面に対応する締結体４０（一例として、締結ナット体、特にＴナット）とを備え、前記締結体４０は、概ね長形を呈する構造体であると共に、長軸４０１と、短軸４０２とを有し、そのうち、前記締結体４０の長軸４０１の長さを、前記挿入開口１２の長さよりも小さく、そして前記締結体４０の短軸４０２の長さを、前記挿入開口１２の幅よりも小さくし、前記締結体４０は、前記挿入開口１２を貫通すると共に、前記収容空間１１内に収容され、前記締結体４０は、前記回動可能な締め具３０の駆動によって切り換えられて特定の回転角度で前記対象部品２０に相対して回転すると共に、前記２つの肩部２２に対向して切り換えられて前記基材１０上の２つの側板部１３を緊密に挟持する。
【０００９】
前記締結体４０の前記係合段部２１に対応する一面に回転ロック溝４１が形成され、前記回転ロック溝４１の前記長軸４０１に対応する一端を第１規制面４１１とし、そして前記回転ロック溝４１の前記短軸４０２に対応する一端を第２規制面４１２とし、前記係合段部２１の頂面に前記回転ロック溝４１内に収容される回転ロック突起２３が突設され、前記回転ロック突起２３が前記第１規制面４１１に突き当てられると、前記締結体４０の正射影が前記挿入開口１２に覆われた状態で、前記締結体４０は、前記挿入開口１２を利用して前記基材１０の収容空間１１内に対する出し入れができる。
【００１０】
前記対象部品２０上に穿孔２４が形成され、前記穿孔２４が順次に前記対象部品２０と前記係合段部２１とを貫通し、前記締結体４０にネジ孔４２が形成され、前記回動可能な締め具３０は、ボルトであり、前記回動可能な締め具３０は、前記穿孔２４を貫通するネジ軸３１を含み、前記ネジ軸３１は、前記穿孔２４に対応する第１段３１１と、前記ネジ孔４２に締結される第２段３１２とを有し、前記ネジ軸３１の第１段３１１の対象部品２０に対応する摩擦力が、前記ネジ軸３１の第２段３１２の前記締結体４０に対応する摩擦力よりも小さくされている。本考案の好適な実施形態において、前記ネジ軸３１の第２段３１２上に１層の膨張剤（ただし封止剤又は滑り防止剤を含んでいてよい）３２が塗布されることにより、前記ネジ軸３１と前記締結体４０との間の摩擦力を高めることができる。
【００１１】
上記の組立構造により、本考案の使用作動状況について以下のように説明する。図１と図３〜図６のように、この好適な実施形態において、前記基材１０が多辺形管である場合、前記対象部品２０を前記基材１０上に組み付けようとするとき、まず、前記第１規制面４１１を前記回転ロック突起２３に突き当てると共に、前記締結体４０の正射影が前記挿入開口１２に覆われた状態で、前記締結体４０は、前記挿入開口１２を利用して前記基材１０の収容空間１１内に置かれる。このことで、前記２つの肩部２２を前記２つの側板部１３の外壁に当て付けると同時に、前記係合段部２１が前記挿入開口１２内に係止されることで、前記対象部品２０を前記基材１０に相対して回転不能にさせることができる。それから、前記回動可能な締め具３０を前記ネジ軸３１の締結方向（図中で時計方向）に回動させ、この時、前記ネジ軸３１の第１段３１１の対象部品２０に対応する摩擦力を、前記ネジ軸３１の第２段３１２の前記締結体４０に対応する摩擦力よりも小さくするので、前記締結体４０は、それと一緒に連動して前記対象部品１０に相対して回転できる。この好適な実施形態において、前記基材１０が多辺形管であるため、前記締結体４０の回転軸線から前記収容空間１１の相対応の側壁までの距離が前記締結体４０の最大回転半径よりも大きいとき、前記収容空間１１の壁面により前記締結体４０に何らかの阻止作用が提供できず、最終的に前記回転ロック突起２３が前記第２規制面４１２に突き当てられるので、前記締結体４０は、前記対象部品１０に相対して継続的に回動できない。この時、使用者が前記回動可能な締め具３０を継続的に回動させると、前記ネジ軸３１と前記ネジ孔４２との螺合作用により、回転停止する前記締結体４０を前記２つの肩部２２の方向に向けて移動するように連動させ、前記締結体４０により前記２つの肩部２２に対向して前記基材１０上の２つの側板部１３を緊密に挟持するに至り、やっと本考案の取り付け動作が完了する。
【００１２】
前記基材１０上から本考案を外そうとするとき、前記回動可能な締め具３０を逆方向（図中で反時計方向）に向けて回動させるだけで、前記締結体４０は、前記２つの側板部１３を再び挟着しない瞬間になると、前述した摩擦力差の問題に基づいて、前記回動可能な締め具３０により、ただちに前記締結体４０を前記対象部品２０に相対して逆方向に回転するように連動させる。前記回転ロック突起２３が再度前記第１規制面４１１に突き当てられ、かつ前記締結体４０の正射影が前記挿入開口１２に覆われた状態になると、前記締結体４０は、前記挿入開口１２を利用して前記基材１０の収容空間１１内から離脱されることにより、本考案の分解動作が完了する。前記締結体４０は、前記２つの側板部１３を再び挟着しない瞬間になると、ただちに前記対象部品２０に相対して逆方向に回転するため、迅速な分解を可能にする目的を達するので、相対的に、本考案を次に取り付けようとするとき、同様に短時間内に迅速に前記締結体４０により前記２つの肩部２２に対向して相対応の側板部１３が迅速に挟着でき、迅速に係脱可能な締結の目的が達成される。
【００１３】
図２，７のように、本考案の第２実施態様において、前記基材１０Ａが矩形管の柱である場合、かつその収容空間１１Ａと挿入開口１２Ａとはそれぞれ縦方向に延伸されると共に、Ｔ字形溝構造となるように連通される。本実施態様において、前述した基材１０Ａの構造は、前述した実施態様と略異なる以外、その残りの対象部品２０、回動可能な締め具３０及び締結体４０の構造は、いずれも前述した実施形態と同じである。前述した特定の回転角度の範囲は、前記収容空間１１Ａの幅によって定められるだけで、４５度〜１３５度の区間が最適である。図８のように、前記収容空間１１Ａの幅が前記締結体４０の最大回転半径よりも大きいとき、前記基材１０Ａの２つの側板部１３Ａを緊迫させる状態で、前記回転ロック突起２３が前記回転ロック溝４１の第２規制面４１２に突き当てられている。この好適な実施形態において、前記締結体４０は、第１側辺と、第２側辺とを含み、前記第１側辺と前記第２側辺の相対応の端部上にそれぞれ退避した湾曲部４３が形成され、前記収容空間１１Ａの幅が前記締結体４０の最大回転半径よりも大きいとき、前記２つの退避した湾曲部４３は、前記収容空間１１Ａの側壁が回転中の締結体４０に対して干渉現象を生じることを避けることができる。また、図９に示すように、前記収容空間１１Ａの幅が前記締結体４０の最大回転半径よりも小さいとき、前記２つの退避した湾曲部４３が切り換えられて前記収容空間１１Ａの相対応の側壁上に突き当てられるために供される。
【００１４】
図１０と図１１のように、前記ネジ軸３１の第２段３１２が前記ネジ孔４２の端部を貫通してさらに止めネジ先端部３１３が軸方向に設けられ、前記止めネジ先端部３１３が前記収容空間１１Ａの内壁を押しながら締結されることにより、前記対象部品２０と前記基材１０Ａとの間の結合強度を増加させる。
【００１５】
図１２のように、前記対象部品２０上にさらにＣ字形止め材２５が設けられることにより、管状基材が位置規制できる。次に、図１３に示すように、前記対象部品２０上にさらに取り付け孔２６が側方向に形成されることで、ボルトを利用して板片構造５０を連結するために供される。また、図１４に示すように、前記対象部品２０上にさらに回転軸６０を介して蝶番片６１が枢着されることにより、ヒンジ構造が形成される。
【符号の説明】
【００１６】
１０，１０Ａ：基材
１１，１１Ａ：収容空間
１２，１２Ａ：挿入開口
１３，１３Ａ：側板部
２０：対象部品
２１：係合段部
２２：肩部
２３：回転ロック突起
２４：穿孔
２５：Ｃ字形止め材
２６：取り付け孔
３０：回動可能な締め具
３１：ネジ軸
３１１：第１段
３１２：第２段
３１３：止めネジ先端部
３２：膨張剤
４０：締結体
４０１：長軸
４０２：短軸
４１：回転ロック溝
４１１：第１規制面
４１２：第２規制面
４２：ネジ孔
４３：退避した湾曲部
５０：板片構造
６０：回転軸
６１：蝶番片
【図１】
0003218669.tif 000003
【図２】
0003218669.tif 000004
【図３】
0003218669.tif 000005
【図４】
0003218669.tif 000006
【図５】
0003218669.tif 000007
【図６】
0003218669.tif 000008
【図７】
0003218669.tif 000009
【図８】
0003218669.tif 000010
【図９】
0003218669.tif 000011
【図１０】
0003218669.tif 000012
【図１１】
0003218669.tif 000013
【図１２】
0003218669.tif 000014
【図１３】
0003218669.tif 000015
【図１４】
0003218669.tif 000016